(57)【要約】      （修正有）【課題】密封性に優れ、高い水素保持性を有する水素水等の水素を含有する内容物を収容するための容器を提供する。【解決手段】水素を含有する内容物を収容する容器１００であって、内容物の出入り口となる口部１０１を有する容器本体１０と、口部１０１を封止するフタ材１１とを備える。フタ材１１が口部から水素が放出されることを抑制する。【選択図】図１
0003220892.tif 000002
【実用新案登録請求の範囲】
【請求項１】
水素を含有する内容物を収容する容器であって、
前記内容物の出入り口となる口部を有する容器本体と、
前記口部を封止するフタ材とを備え、
前記フタ材が前記口部から水素が放出されることを抑制することを特徴とする、容器。
【請求項２】
前記フタ材が、前記口部を封止するよう前記口部の端縁部に貼り付けられるアルミ箔である、請求項１に記載の容器。
【請求項３】
前記フタ材が、前記口部の端縁部に嵌合するライナー材を備える、請求項１に記載の容器。
【請求項４】
前記内容物の水素濃度が０．８ｐｐｍ〜４．０ｐｐｍであることを特徴とする、請求項１〜３の何れか１項に記載の容器。
【請求項５】
前記容器本体が、アルミ製のボトル缶であることを特徴とする、請求項１〜４の何れか１項に記載の容器。
【請求項６】
前記容器本体が、アルミ素材を含むパウチ容器であることを特徴とする、請求項１〜４の何れか１項に記載の容器
【考案の詳細な説明】
【技術分野】
【０００１】
本考案は容器に関し、より詳細には、水素を含有する内容物を収容するための容器に関する。
【背景技術】
【０００２】
近年、水素ガスを含有する飲料水、いわゆる水素水の需要が高まっており、水素水をボトル缶やアルミパウチ等に充填した容器詰めの水素水製品が各社から提供されている。一般的に、水素水とは、水素分子（水素ガス）を１ｐｐｍ以上溶解させた水をいうが、分子状水素医学研究会では、０．２ｐｐｍ（２００ｐｐｂ）以上の水素を含んでいるものを水素水として定義している。
【０００３】
上述のような水素水を収容する容器としては、金属製、特にアルミ製の容器が好適に用いられている。アルミ素材は、プラスチック素材に比べて水素保持性が高く、容器壁面からの水素ガスの透過を極めて少なくすることができる。 
【０００４】
水素水を収容するのに用いられるアルミ製の容器は高い水素保持性を発揮するものであるが、賞味期限を超えるような長期保存や、高温・高圧などの過酷な環境下では、十分な水素保持性を維持することが難しい場合がある。そして、主に容器本体とその口部を封止するフタ材とにより構成されている容器の構造上、容器本体に対するフタ材の密封度合が、内容物である水素水の水素保持性に大きく影響するため、閉栓時の容器本体に対するフタ材の密封性の担保が重要になってきている。実際に、容器本体の口部とキャップとのわずかな隙間から水素が漏れやすいことがわかってきている。
【考案の概要】
【考案が解決しようとする課題】
【０００５】
本考案は上述のような事情に基づいてなされたものであり、密封性に優れ、高い水素保持性を有する水素水等の水素を含有する内容物を収容するための容器の提供を目的とする。
【課題を解決するための手段】
【０００６】
上記課題を解決するために、本考案は、水素を含有する内容物を収容する容器であって、前記内容物の出入り口となる口部を有する容器本体と、前記口部を封止するフタ材とを備え、前記フタ材が前記口部から水素が放出されることを抑制することを特徴とする、容器を提供する（考案１）。
【０００７】
かかる考案（考案１）によれば、容器本体の口部を封止するフタ材によって、容器本体の口部から水素が放出するのを抑制することができる。
【０００８】
上記考案（考案１）においては、前記フタ材が、前記口部を封止するよう前記口部の端縁部に貼り付けられるアルミ箔であってもよい（考案２）。
【０００９】
かかる考案（考案２）によれば、フタ材が、プラスチック素材に比べて水素保持性が高いアルミ箔であり、口部の端縁部に当該アルミ箔を貼り付けることにより、容器本体の口部から水素が放出するのをより一層抑制することができる。
【００１０】
上記考案（考案１）においては、前記フタ材が、前記口部の端縁部に嵌合するライナー材を備えていてもよい（考案３）。 
【００１１】
ここで、本考案における「ライナー材」とは、容器本体の口部の端縁部に嵌合させるべく、フタ材の天板部内側周辺に施される柔軟性を有する部材を意味する。
【００１２】
かかる考案（考案３）によれば、フタ材の天板部内側周辺に施されたライナー材が容器本体口部の端縁部に嵌合するので、容器本体に対するフタ材の密封性が担保され、高い水素保持性を実現することができる。
【００１３】
上記考案（考案１〜３）においては、前記内容物の水素濃度が０.８ｐｐｍ〜４．０ｐｐｍであることが好ましい（考案４）。
【００１４】
上記考案（考案１〜４）においては、前記容器本体がアルミ製のボトル缶であってもよいし（考案５）、前記容器本体がアルミ素材を含むパウチ容器であってもよい（考案６）。
【考案の効果】
【００１５】
本考案の容器によれば、容器本体の口部を封止するフタ材によって、容器本体の口部から水素が放出するのを抑制することができる。
【図面の簡単な説明】
【００１６】
【図１】本考案の第一実施形態に係る容器を示す模式図であって、（ａ）は容器全体の側面図、（ｂ）は（ａ）のＡ−Ａ線矢視部分拡大断面図、（ｃ）はフタ材の底面図である。
【図２】本考案の第二実施形態に係る容器を示す模式図であって、（ａ）は容器全体の側面図、（ｂ）は（ａ）のＢ−Ｂ線矢視部分拡大断面図、（ｃ）はフタ材の底面図である。
【考案を実施するための形態】
【００１７】
以下、本考案の容器の実施の形態について、適宜図面を参照して説明する。以下に説明する実施形態は、本考案の理解を容易にするためのものであって、何ら本発明を限定するものではない。 
【００１８】
〔第一実施形態〕
図１は、本考案の第一実施形態に係る容器を示す模式図であって、（ａ）は容器全体の側面図、（ｂ）は（ａ）のＡ−Ａ線矢視部分拡大断面図、（ｃ）はフタ材の底面図である。容器１００は、水素を含有する内容物を収容するための容器であって、口部１０１を有する容器本体１０と、口部１０１を封止するフタ材１１とを備える。本実施形態において、フタ材１１は、容器本体１０の口部１０１を封止するよう口部１０１の端縁部に貼り付けられるアルミ箔１１ａである。
【００１９】
［容器本体］
容器本体１０は、水素水等の水素を含有する内容物を収容するものであって、内容物の出入り口となる口部１０１を有する。容器本体１０は、内容物を収容することができればその形状は特に制限されず、例えばボトル状、パウチ状等であってよい。また、口部１０１は、本実施形態のように容器本体１０の一部が口部１０１として形成されていてもよいし、別部材を容器本体１０に取り付けて口部１０１としてもよい。容器本体１０の素材としては、例えばポリオレフィン樹脂又はポリスチレン樹脂等の樹脂や、アルミニウム又はアルミニウム合金等の金属が使用できるが、水素保持性が高いことから、アルミ素材又は一部にアルミを含む素材であることが好ましい。 
【００２０】
［フタ材］
本実施形態において、フタ材１１は、図１に示すように、容器本体１０の口部１０１を封止するよう口部１０１の端縁部に貼り付けられるアルミ箔１１ａである。アルミ素材は、プラスチック素材に比べて水素保持性が高いため、フタ材１１がアルミ箔１１ａであることにより、容器本体１０の口部１０１から水素が放出するのを抑制することができる。
【００２１】
アルミ箔１１ａの大きさとしては、容器本体１０の口部１０１を封止することができるよう、口部１０１の外径よりも大きい外径を有していれば、特に制限されるものではないが、密封性を考慮し、口部１０１の外側壁の垂直部分に接着するスカート部１１１の長さが２〜３ｍｍ程度であることが好ましい。また、アルミ箔１１ａの厚さとしては、容器本体１０の口部１０１を封止することができれば特に制限されるものではないが、破れにくく、かつ剥がしやすいことを考慮し、０．１ｍｍ程度であることが好ましい。なお、アルミ箔１１ａには、つまんで剥がしやすくするために、取っ手となるタブ部分を設けてもよい。アルミ箔１１ａとしては、例えば公知の粘着シール付きのフタ材を好適に使用することができる。 
【００２２】
上述した実施形態の容器１００の密閉方法としては、特に制限されるものではないが、一般的には、シール機を用いて、フタ材１１としてのアルミ箔１１ａを、内容物を収容した容器本体１０の口部１０１に貼り付けることで密封する方法が採用されている。
【００２３】
〔第二実施形態〕
次に、本考案の第二実施形態について説明する。図２は、本考案の第二実施形態に係る容器を示す模式図であって、（ａ）は容器全体の側面図、（ｂ）は（ａ）のＢ−Ｂ線矢視部分拡大断面図、（ｃ）はフタ材の底面図である。容器２００は、水素を含有する内容物を収容するための容器であって、口部２０１を有する容器本体２０と、口部２０１を封止するフタ材２１とを備える。本実施形態において、フタ材２１は、容器本体２０の口部２０１の端縁部に嵌合するライナー材２２を備える。
【００２４】
［容器本体］
容器本体２０は、水素水等の水素を含有する内容物を収容するものである。容器本体２０は、内容物の出入り口となる口部２０１を有し、口部２０１にはあらかじめ螺合溝２０２が形成されている。容器本体２０は、内容物を収容することができればその形状は特に制限されず、例えばボトル状、パウチ状等であってよい。また、口部２０１は、本実施形態のように容器本体２０の一部が口部２０１として形成されていてもよいし、別部材を容器本体２０に取り付けて口部２０１としてもよい。容器本体２０の素材としては、例えばポリオレフィン樹脂又はポリスチレン樹脂等の樹脂や、アルミニウム又はアルミニウム合金等の金属が使用できるが、水素保持性が高いことから、アルミ素材又は一部にアルミを含む素材であることが好ましい。
【００２５】
［フタ材］
本実施形態において、フタ材２１は、図２に示すように、容器本体２０の口部２０１１を螺合により封止可能であって、天板部２１１と天板部２１１の周縁から垂下した筒状部２１２とを有する。フタ材２１の素材としては、例えばポリオレフィン樹脂又はポリスチレン樹脂等の樹脂や、アルミニウム又はアルミニウム合金等の金属が使用できるが、水素保持性が高いことから、アルミ素材であることが好ましい。本実施形態のフタ材２１は、図２に示すように、天板部２１１の内側周辺に設けられたライナー材２２を備えている。
【００２６】
［ライナー材］
「ライナー材」とは、容器本体２０の口部２０１の端縁部に嵌合させるべく、フタ材２１の天板部２１１内側周辺に施される柔軟性を有する部材を意味し、通常、合成樹脂が用いられる。ライナー材用の合成樹脂としては、例えばオレフィン樹脂、塩化ビニル樹脂等が使用できるが、ガスバリア性や耐熱性等の観点から、オレフィン樹脂と他のエラストマーとの混合樹脂が好ましい。
【００２７】
容器本体２０に内容物を収容し、容器本体２０の口部２０１にフタ材２１を装着する際、フタ材２１の天板部２１１内側周辺にライナー材２２を接着させることにより、フタ材２１内でライナー材２２が容器本体２０の口部２０１の端縁部の形状に沿って型押し成型される。これにより、ライナー材２２には、容器本体２０の口部２０１の端縁部に嵌合する外側壁２２１ａと内側壁２２１ｂとを有する嵌合溝２２１が形成される。この柔軟性を有する嵌合溝２２１の外側壁２２１ａ及び内側壁２２１ｂの垂直部分と、これに嵌合する容器本体２０の口部２０１の端縁部とが嵌合することで、容器本体２０内が密封状態となり、容器２００が得られる。
【００２８】
ライナー材２２の大きさとしては、形成される嵌合溝２２１に口部２０１の端縁部が嵌合するよう、口部２０１の外径よりやや大きい外径を有していればよい。 
【００２９】
ライナー材２２の嵌合溝２２１は、外側壁２２１ａの方が内側壁２２１ｂより高くなるよう形成されていることが好ましい。外側壁２２１ａの方が内側壁２２１ｂより高く形成されている場合には、フタ材２１全体としての密封性が向上する。
【００３０】
上述した実施形態の容器２００の密閉方法としては、容器本体２０の口部２０１を封止することができれば特に制限されるものではないが、一般的には、巻締機を用いて、内容物を収容した容器本体２００にフタ材２１を巻き締めることで密封する方法が採用されている。
【００３１】
巻締機を用いた場合の具体的な巻き締め方法は以下の通りである。まず、あらかじめ口部２０１に螺合溝２０２が形成された容器本体２０に、内容物が充填される。次に、この状態の容器本体２０を巻締機にセットし、容器本体２０の口部２０１の螺合溝２０２に合わせて、ライナー材２２を施したフタ材２１の筒状部２１２に螺合溝２１３を形成して巻き締める。このとき、フタ材２１の天板部２１１内側周辺にライナー材２２を接着させることにより、フタ材２１内でライナー材２２が容器本体２０の口部２０１上端の形状に沿って型押し成型されるとともに、ライナー材２２に形成される嵌合溝２２１の外側壁２２１ａの垂直部分によって、ライナー材２２が容器本体２０の口部２０１上端に嵌合する。
【００３２】
なお、このようにして容器本体２０に巻き締められるフタ材２１は、ＲＯＰＰ（Ｒｏｌｌ  Ｏｎ  Ｐｉｌｆｅｒ  Ｐｒｏｏｆ）と呼ばれる。
【００３３】
以上、本考案について図面を参照にして説明してきたが、本発明は上記実施形態に限定されず、種々の変更実施が可能である。例えば、上記第一実施形態に係る容器では、容器本体の口部を封止するフタ材としてアルミ箔を用いているが、当該アルミ箔を用いて封止した口部を覆う別のフタ材を更に備えていてもよい。また、上記第二実施形態に係る容器では、容器本体の口部を封止するフタ材としてライナー材を備えたフタ材を用いているが、当該フタ材の内側において、アルミ箔が口部を封止していてもよい。更に、上記実施形態では、内容物として、水素水等の水素を含有する内容物を対象としているが、本考案に係る容器は、水素より分子サイズの大きい、例えば二酸化炭素を含有する内容物（炭酸水）にも適用が可能である。
【実施例】
【００３４】
以下、実施例に基づき本考案をさらに詳説するが、本考案は以下の実施例に限定されるものではない。
【００３５】
〔水素保持性の評価１〕
上記実施形態に記載の容器を用いて、水素保持性の評価試験を行った。条件は以下の通りである。
〈容器〉
容器本体：３８Φボトル缶  ３００ｍｌ（ユニバーサル製罐社製）
フタ材：
・３８ΦＤＰ２（ライナー材の内側壁の方が外側壁より高いキャップ；日本クロージャー社製）
・３８Φフラット（ライナー材を施していないキャップ；日本クロージャー社製）
・アルミテープＳ（アルミ箔；ニトムズ社製）
〈水素測定法〉
ニードル型水素濃度測定機（ユニセンス社製）を用いた。
〈装置条件等〉
収容する水素水は、水に水素を溶解させることにより製造した。製造した水素水をボトル缶に収容し、液体窒素（ＬＮ２）を充填した後、容器本体の口部にアルミ箔を貼り付け、キャップ（ＤＰ２又はフラット）の巻き締めを行った。なお、ボトル缶内の圧力は不明であり、後殺菌は行わなかった。 
【００３６】
実施例１は、ライナー材の内側壁の方が外側壁より高いキャップ（ＤＰ２）とアルミ箔とを併用した場合、実施例２は、ライナー材を施さないキャップ（フラット）とアルミ箔とを併用した場合、比較例１は、ライナー材の内側壁の方が外側壁より高いキャップ（ＤＰ２）のみを用いてアルミ箔を用いなかった場合である。
【００３７】
実施例１、２及び比較例１について、製造後２カ月経過後（２５℃）までの水素濃度及び、製造後６日後から製造後２カ月経過後（２５℃）までの水素残存率を表１に示す。なお、表１及び表２において「ヘッドスペース」とは、ボトル缶をフタ材で密閉した後、加熱や冷却によりボトル缶本体が膨張したり収縮したりするのを防ぐためにボトル缶の上側に設けられる空間を意味する。
【００３８】
【表１】
0003220892.tif 000003
【００３９】
〔結果〕
製造後６日後から製造後２カ月経過後（２５℃）までの水素残存率は、アルミ箔を貼り付け方が高く、特に、ライナーの内側壁の方が外側壁より高いキャップ（ＤＰ２）を用いた方が高かった。
【００４０】
〔水素保持性の評価２〕
ライナー付きのアウターキャップとして、ＤＰ３Ａ（ライナーの外側壁の方が内側壁より高い）を用いた以外は、上記水素保持性の評価１と同様の条件で水素保持性の評価試験を行った。 
【００４１】
実施例１は、ライナーの外側壁の方が内側壁より高いアウターキャップ（ＤＰ３Ａ）とアルミ箔とを併用した場合、実施例２は、ライナーを施さないアウターキャップ（フラット）とアルミ箔とを併用した場合、比較例１は、ライナーの外側壁の方が内側壁より高いキャップ（ＤＰ３Ａ）のみを用いてアルミ箔を用いなかった場合である。
【００４２】
実施例１、２及び比較例１について、製造後２カ月経過後（２５℃及び４５℃）までの水素濃度及び、製造後７日後から製造後２カ月経過後（２５℃及び４５℃）までの水素残存率を表２に示す。
【００４３】
【表２】
0003220892.tif 000004
【００４４】
〔結果〕
製造後７日後から製造後２カ月経過後（２５℃及び４５℃）までの水素残存率は、アルミ箔を貼り付け方が高く、特に、ライナーの外側壁の方が内側壁より高いキャップ（ＤＰ３Ａ）を用いた方が高かった。 
【００４５】
また、表２に記載の実施例１、実施例２及び比較例１について、容器本体をアルミ層を含むパウチ容器に変更した以外は同様の条件で、実施例３、実施例４及び比較例２を製造した。上記試験と同様に製造２ヵ月後の水素保持性を評価した結果、実施例３及び実施例４は、比較例２よりも高い水素保持性が確認された。
【００４６】
さらに参考として、市販品の水素水Ａ（ＰＥＴ容器、奥長良川名水社製）及び水素水Ｂ（ＰＥＴ容器、日田天領水社製）を上記試験と同様に水素保持性を評価した結果、どちらも賞味期限内の水素濃度は０ｐｐｍであり、水素保持性は確認されなかった。
【００４７】
以上説明したように、本発明の容器によれば、容器本体の口部を封止するフタ材によって、容器本体の口部から水素が放出するのを抑制することができる。
【符号の説明】
【００４８】
容器  １００
容器本体  １０
口部  １０１
フタ材  １１
アルミ箔  １１ａ
スカート部  １１１
容器  ２００
容器本体  ２０
口部  ２０１
螺合溝  ２０２
フタ材  ２１
天板部  ２１１
筒状部  ２１２
螺合溝  ２１３
ライナー材  ２２
嵌合溝  ２２１
外側壁  ２２１ａ
内側壁  ２２１ｂ
【図１】
0003220892.tif 000005
【図２】
0003220892.tif 000006